【手続補正書】
【提出日】平成19年8月13日(2007.8.13)
【手続補正１】
【補正対象書類名】明細書
【補正対象項目名】特許請求の範囲
【補正方法】変更
【補正の内容】
【特許請求の範囲】
【請求項１】  手工具において、該手工具が
（ａ）  端部にビットを保持するようにされた細長部材と、
（ｂ）  前記細長部材に旋回可能に定点に取付けられた第１アームと、
（ｃ）  前記細長部材に旋回可能に定点に取付けられた第２アームとを含む形式のものにおいて、
（ｉ）  前記第１アームが、その定点を中心として、前記細長部材に対し事実上直角の位置へ旋回でき、かつまた前記第１アームが、その直角位置から細長部材の方へ、定点を中心として旋回でき、
（ｉｉ）  前記第２アームが、その定点を中心として、前記細長部材に対して事実上直角の位置へ旋回でき、かつまた前記第２アームが、その直角位置から細長部材の方へ、定点を中心として旋回でき、
（ｉｉｉ）  前記アームのそれぞれが、他方のアームの旋回とは無関係に旋回可能であり、
（ｉｖ）  前記アームの少なくとも一方のアームが、細長部材から離れる方向へ旋回し、更に、細長部材に対し直角位置を超えて少なくとも１つの所定延長位置まで旋回可能であり、
（ｖ）  手工具は更に、前記アームの少なくとも一方のアームを前記少なくとも１つの所定延長位置に固定する機構を備える、手工具。
【請求項２】  前記少なくとも１つの所定延長位置は、前記直角位置と細長部材に対し１８０度の位置との間の中間延長位置である、請求項１に記載された手工具。
【請求項３】  前記第１アームと前記第２アームとが、前記細長部材の両側で旋回可能であることにより同時にそれぞれの直角位置にあって前記細長部材と共にＴ字形を形成でき、該Ｔ字形が、手で把持でき、かつまた前記細長部材の端部のビットを回転させるトルクを増すことができ、前記第１アームがその端部にビットを保持するようにされ、前記第２アームがその端部にビットを保持するようにされ、ビットを保持する各アームの端部が、アームを旋回可能に取付けてある定点の反対側に位置する、請求項２に記載された手工具。
【請求項４】  前記細長部材が、そのビット保持端部にビットを受容し、保持し、かつ該端部から解除するようにされており、しかも、前記第１アームが、そのビット保持端部にビットを受容し、保持し、かつ該端部から解除するようにされ、かつ前記第２アームが、そのビット保持端部にビットを受容し、保持し、かつ該端部から解除するようにされている、請求項３に記載された手工具。
【請求項５】  前記細長部材が、細長部材内への第１アーム旋回時に第１アームを受容するようにされた第１開放部分を有しており、かつまた前記細長部材が、細長部材内への第２アーム旋回時に第２アームを受容するようにされた第２開放部分を有している、請求項２に記載された手工具。
【請求項６】  前記細長部材がハンドルと軸部とから成り、しかも、第１アームと第２アームとがハンドルに旋回可能に取付けられ、かつ前記軸部がハンドルから延在し、細長部材のビット保持端部を含み、前記ハンドルが軸部を受容し、保持し、解除するようにされ、前記軸部が可逆式であり、軸部各端部にビットを保持するようにされている、請求項４に記載された手工具。
【請求項７】  前記アームの各々が、細長部材から離れる方向へ旋回し、更に、細長部材に対し直角位置を超えて少なくとも１つの所定延長位置まで旋回可能であり、手工具は更に、前記アームの各々を前記所定延長位置に固定する機構を備える、請求項１に記載された手工具。
【請求項８】  前記所定延長位置は、前記直角位置と細長部材に対し１８０度の位置との間の中間延長位置である、請求項１に記載された手工具。
【請求項９】  前記機構が、ばね・ボール・戻り止め機構である、請求項７に記載された手工具。
【請求項１０】  各アームが、アームに付加されたプレートを介して前記細長部材に旋回可能に取付けられ、各アームが旋回するにつれてプレートが旋回し、しかも、該プレートが互いに事実上平行である、請求項１に記載された手工具。
【請求項１１】  各アームが事実上同じ旋回軸を中心として旋回する、請求項８に記載された手工具。
【請求項１２】  手工具であって、（ａ）端部にビットを保持するようにされた細長部材と、（ｂ）前記細長部材に定点で旋回可能に取付けられた第１アームと、（ｃ）前記細長部材に定点で旋回可能に取付けられた第２アームとを含む形式のものにおいて、
（ｉ）前記第１アームが、前記細長部材に対し事実上直角の位置へ定点を中心として旋回可能であり、かつまた前記第１アームが、直角位置から前記細長部材へ向かって定点を中心として旋回可能であり、
（ｉｉ）前記第２アームが、前記細長部材に対し事実上直角の位置へ定点を中心として旋回可能であり、かつまた前記第２アームが、直角位置から前記細長部材へ向かって定点を中心として旋回可能であり、
（ｉｉｉ）前記アームのそれぞれが、他方のアームの旋回とは無関係に旋回可能であり、
（ｉｖ）前記アームのそれぞれが、事実上同じ旋回軸を中心として旋回する、手工具。
【請求項１３】  前記事実上同じ旋回軸が、前記第１アームの定点と前記第２アームの定点と同一である、請求項１２に記載の手工具。
【請求項１４】  各アームが、アームに付加されたプレートを介して前記細長部材に旋回可能に取付けられている、請求項１３に記載された手工具。
【請求項１５】  各プレートが１つの穴を含み、前記細長部材が１つの穴を含んでおり、しかも、これらの穴が整合し、前記細長部材に前記アームを旋回可能に取付けるために、前記整合穴にピンが貫通配置され、該ピンが前記事実上同じ旋回軸を形成する、請求項１４に記載された手工具。
【請求項１６】  各アームが旋回するにつれてプレートが旋回し、しかも、該プレートが互いに事実上平行であり、かつまたプレートが前記事実上同じ旋回軸を中心として旋回する、請求項１４に記載された手工具。
【請求項１７】  前記第１アームと前記第２アームとが、前記細長部材の両側で旋回可能であることにより同時にそれぞれの直角位置にあって前記細長部材と共にＴ字形を形成でき、該Ｔ字形が、手で把持でき、かつまた前記細長部材の端部のビットを回転させるトルクを増すことができる、請求項１２に記載された手工具。
【請求項１８】  前記第１アームがその端部にビットを保持するようにされ、前記第２アームがその端部にビットを保持するようにされ、ビットを保持する各アームの端部が、アームを旋回可能に取付けてある定点の反対側に位置する、請求項１２に記載された手工具。
【請求項１９】  前記細長部材が、そのビット保持端部にビットを受容し、保持し、かつ該端部から解除するようにされており、しかも、前記第１アームが、そのビット保持端部にビットを受容し、保持し、かつ該端部から解除するようにされ、かつ前記第２アームが、そのビット保持端部にビットを受容し、保持し、かつ該端部から解除するようにされている、請求項１２に記載された手工具。
【請求項２０】  前記細長部材が、細長部材内への第１アーム旋回時に第１アームを受容するようにされた第１開放部分を有しており、かつまた前記細長部材が、細長部材内への第２アーム旋回時に第２アームを受容するようにされた第２開放部分を有している、請求項１２に記載された手工具。
【請求項２１】  前記細長部材がハンドルと軸部とから成り、しかも、第１アームと第２アームとがハンドルに旋回可能に取付けられ、かつ前記軸部が、ハンドルから延在し、細長部材のビット保持端部を含み、前記ハンドルが軸部を受容し、保持し、解除するようにされ、前記軸部が可逆式であり、軸部各端部にビットを保持するようにされている、請求項２０に記載された手工具。
【請求項２２】  前記アームの各々が、細長部材から離れる方向へ旋回し、更に、細長部材に対し直角位置を超えて少なくとも１つの所定延長位置まで旋回可能である、請求項２０に記載された手工具。
【請求項２３】  手工具であって、（ａ）端部にビットを保持するようにされた細長部材と、（ｂ）前記細長部材に定点で旋回可能に取付けられた第１アームと、（ｃ）前記細長部材に定点で旋回可能に取付けられた第２アームとを含む形式のものにおいて、
（ｉ）前記第１アームが、前記細長部材に対し事実上直角の位置へ定点を中心として旋回可能であり、かつまた前記第１アームが、直角位置から前記細長部材へ向かって定点を中心として旋回可能であり、
（ｉｉ）前記第２アームが、前記細長部材に対し事実上直角の位置へ定点を中心として旋回可能であり、かつまた前記第２アームが、直角位置から前記細長部材へ向かって定点を中心として旋回可能であり、
（ｉｉｉ）前記アームのそれぞれが、他方のアームの旋回とは無関係に旋回可能であり、
（ｉｖ）各アームが、アームに付加されたプレートを介して前記細長部材に旋回可能に取付けられている、手工具。
【請求項２４】  各プレートが１つの穴を含み、前記細長部材が１つの穴を含んでおり、しかも、これらの穴が整合し、前記細長部材に前記アームを旋回可能に取付けるために、前記整合穴にピンが貫通配置され、該ピンが各アームの前記定点を形成し、各アームが前記ピンの回りに独立して旋回可能である、請求項２３に記載の手工具。
【請求項２５】  各プレートが、アームの旋回と共に旋回するさい、細長部材端部と事実上整合したままであるように、各プレートが寸法付け、かつ付形されている、請求項２３に記載された手工具。
【請求項２６】  各アームが旋回するにつれてプレートが旋回し、しかも、該プレートが互いに事実上平行であり、かつまたプレートが事実上同じ旋回軸を中心として旋回する、請求項２３に記載された手工具。
【請求項２７】  各プレートの厚さが、プレートが付加されているアームの厚さの約１／２である、請求項２６に記載された手工具。
【請求項２８】  前記第１アームと前記第２アームとが、前記細長部材の両側で旋回可能であることにより同時にそれぞれの直角位置にあって前記細長部材と共にＴ字形を形成でき、該Ｔ字形が、手で把持でき、かつまた前記細長部材の端部のビットを回転させるトルクを増すことができる、請求項２３に記載された手工具。
【請求項２９】  前記第１アームがその端部にビットを保持するようにされ、前記第２アームがその端部にビットを保持するようにされ、ビットを保持する各アームの端部が、アームを旋回可能に取付けてある定点の反対側に位置する、請求項２３に記載された手工具。
【請求項３０】  前記細長部材が、そのビット保持端部にビットを受容し、保持し、かつ該端部から解除するようにされており、しかも、前記第１アームが、そのビット保持端部にビットを受容し、保持し、かつ該端部から解除するようにされ、かつ前記第２アームが、そのビット保持端部にビットを受容し、保持し、かつ該端部から解除するようにされている、請求項２９に記載された手工具。
【請求項３１】  前記細長部材が、細長部材内への第１アーム旋回時に第１アームを受容するようにされた第１開放部分を有しており、かつまた前記細長部材が、細長部材内への第２アーム旋回時に第２アームを受容するようにされた第２開放部分を有している、請求項２３に記載された手工具。
【請求項３２】  前記細長部材がハンドルと軸部とから成り、しかも、第１アームと第２アームとがハンドルに旋回可能に取付けられ、かつ前記軸部が、ハンドルから延在し、細長部材のビット保持端部を含み、前記ハンドルが軸部を受容し、保持し、解除するようにされ、前記軸部が可逆式であり、軸部各端部にビットを保持するようにされている、請求項２９に記載された手工具。
【請求項３３】  各アームが旋回するにつれてプレートが旋回し、しかも、該プレートが互いに事実上平行である、請求項２３に記載された手工具。
【請求項３４】  前記プレートは、前記アームと共に、単一物体として構成される、請求項２３に記載された手工具。
【請求項３５】  手工具であって、（ａ）端部にビットを保持するようにされた細長部材と、（ｂ）前記細長部材に定点で旋回可能に取付けられた第１アームと、（ｃ）前記細長部材に定点で旋回可能に取付けられた第２アームとを含む形式のものにおいて、
（ｉ）前記第１アームが、前記細長部材に対し事実上直角の位置へ定点を中心として旋回可能であり、かつまた前記第１アームが、直角位置から前記細長部材へ向かって定点を中心として旋回可能であり、
（ｉｉ）前記第２アームが、前記細長部材に対し事実上直角の位置へ定点を中心として旋回可能であり、かつまた前記第２アームが、直角位置から前記細長部材へ向かって定点を中心として旋回可能であり、
（ｉｉｉ）前記アームのそれぞれが、他方のアームの旋回とは無関係に旋回可能であり、
（ｉｖ）前記第１アームと前記第２アームとが細長部材の両側で旋回可能であり、
（ｖ）前記細長部材がハンドルと軸部とから成り、
（ｖｉ)第１アームと第２アームとがハンドルに旋回可能に取付けられ、
（ｖｉｉ）前記軸部が、ハンドルから延在し、細長部材のビット保持端部を含み、
（ｖｉｉｉ）前記軸部が、そのビット保持端部にビットを受容し、保持し、かつ該端部から解除するようにされており、
（ｉｘ）前記ハンドルが、ハンドル内への第１アーム旋回時に第１アームを受容するようにされた第１開放部分を有しており、かつまた前記ハンドルが、ハンドル内への第２アーム旋回時に第２アームを受容するようにされた第２開放部分を有し、
（ｘ）前記ハンドルがリブを有し、該リブがハンドルから、ハンドル長さと平行に延在し、
（ｘｉ）前記両アームが閉じ位置にある場合、前記第１開放部分と第２開放部分が占める区域で、前記両アームが、リブを形成することによりリブのパターンを補完する、手工具。
【請求項３６】  前記両アームが閉じ位置にある場合、前記アームの露出部分の寸法と形状がリブに事実上合致する、請求項３５に記載された手工具。
【請求項３７】  前記リブが丸められているが、該丸みが円形を形成するように切頭されている、請求項３７に記載された手工具。
【請求項３８】  （ｘｉｉ）前記第１アームがその端部にビットを保持するようにされ、前記第２アームがその端部にビットを保持するようにされ、ビットを保持する各アームの端部が、アームを旋回可能に取付けてある定点の反対側に位置し、
（ｘｉｉｉ）前記第１アームが、そのビット保持端部にビットを受容し、保持し、該保持端部からビットを解除するようにされ、前記第２アームが、そのビット保持端部にビットを受容し、保持し、該保持端部からビットを解除するようにされる、請求項３６に記載の手工具。
【請求項３９】  手工具であって、（ａ）端部にビットを保持するようにされた細長部材と、（ｂ）前記細長部材に定点で旋回可能に取付けられた第１アームと、（ｃ）前記細長部材に定点で旋回可能に取付けられた第２アームとを含む形式のものにおいて、
（ｉ）前記第１アームが、前記細長部材に対し事実上直角の位置へ定点を中心として旋回可能であり、かつまた前記第１アームが、直角位置から前記細長部材へ向かって定点を中心として旋回可能であり、
（ｉｉ）前記第２アームが、前記細長部材に対し事実上直角の位置へ定点を中心として旋回可能であり、かつまた前記第２アームが、直角位置から前記細長部材へ向かって定点を中心として旋回可能であり、
（ｉｉｉ）前記アームのそれぞれが、他方のアームの旋回とは無関係に旋回可能であり、
（ｉｖ）前記第１アームと前記第２アームとが細長部材の両側で旋回可能であり、
（ｖ）前記第１アームと前記第２アームとが、同時にそれぞれの直角位置にあって前記細長部材と共にＴ字形を形成でき、該Ｔ字形が、手で把持でき、かつまた前記細長部材の端部のビットを回転させるトルクを増すことができ、
（ｖｉ）更に、前記アームのそれぞれを、その直角位置に固定する機構を含む、手工具。
【請求項４０】  前記機構が、ばね・ボール・戻り止め機構である、請求項３９に記載された手工具。
【請求項４１】  （ｖｉｉ）前記第１アームがその端部にビットを保持するようにされ、前記第２アームがその端部にビットを保持するようにされ、
（ｖｉｉｉ）ビットを保持する各アームの端部が、アームを旋回可能に取付けてある定点の反対側に位置し、
（ｉｘ）前記細長部材が、そのビット保持端部にビットを受容し、保持し、かつ該端部から解除するようにされており、
（ｘ）前記第１アームが、そのビット保持端部にビットを受容し、保持し、かつ該端部から解除するようにされ、
（ｘｉ）前記第２アームが、そのビット保持端部にビットを受容し、保持し、かつ該端部から解除するようにされ、
（ｘｉｉ）前記細長部材が、細長部材内への第１アーム旋回時に第１アームを受容するようにされた第１開放部分を有しており、かつまた前記細長部材が、細長部材内への第２アーム旋回時に第２アームを受容するようにされた第２開放部分を有している、請求項２３に記載された手工具。
（ｘｉｉｉ）前記細長部材がハンドルと軸部とから成り、しかも、第１アームと第２アームとがハンドルに旋回可能に取付けられ、かつ前記軸部が、ハンドルから延在し、細長部材のビット保持端部を含み、前記ハンドルが軸部を受容し、保持し、解除するようにされ、前記軸部が可逆式であり、軸部各端部にビットを保持するようにされ、
（ｘｉｖ）各アームが事実上同じ旋回軸を中心として旋回可能であり、
（ｘｖ）各アームが、アームに付加されたプレートを介して前記細長部材に旋回可能に取付けられ、各アームが旋回するにつれてプレートが旋回し、該プレートが互いに事実上平行であり、プレートが前記事実上同じ旋回軸を中心として旋回する、請求項３９に記載された手工具。
【請求項４２】  （ｘｖｉ）前記ハンドルがリブを有し、該リブがハンドルから、ハンドル長さと平行に延在し、
（ｘｖｉｉ）前記アームがそれぞれの前記開放部分内に回転されてそれぞれの前記開放部分内に位置する時に、前記アームの露出部分の寸法と形状がリブに事実上合致する、請求項４１に記載された手工具。
【請求項４３】  前記リブが丸められているが、該丸みが円形を形成するように切頭されている、請求項４２に記載された手工具。